(57)【要約】      （修正有）【課題】簡単な構成で、読み取る原稿の厚さ毎に設置することなく、単に、原稿を一対の搬送ローラ間に食い込ませるのみで原稿を読み取ることができる原稿読取装置を提供する。【解決手段】読取部１００は、蓋部２０に設けられるとともに、複数のイメージセンサ１１０を千鳥状に配置して、主走査方向に隣接するイメージセンサ１１０を互いに重複させて構成し、さらに、原稿Ｐと対向する面にはプラテンガラスが設けられ、本体部は、イメージセンサ１１０と対向する面に、原稿Ｐ導入部７００が配置され、原稿導入部７００は、現行の先端を読取部１００に導入しやすいようにカマボコ状に形成されるとともに、原稿Ｐがプラテンガラス８００に当接させる付勢手段が設けられている。【選択図】図１
2013098639.tif 000002
【特許請求の範囲】
【請求項１】
原稿に記載されたデータを読み取る読取部と、該原稿を該読取部に繰り出す搬送手段と、該原稿のデータを該読取部で読み取った後、外部に該原稿を排出する排出手段とを備え、
前記搬送手段と前記排出手段とにより、本体部と該本体部の一端を支点として開閉可能に設けられた蓋部との間に原稿を通過させ、前記原稿のデータを読み取る原稿読取装置において、
前記読取部は、前記蓋部に設けられるとともに、複数のイメージセンサを千鳥状に配置して、主走査方向に隣接するイメージセンサを互いに重複させて構成し、さらに、前記原稿と対向する面にはプラテンガラスが設けられ、
前記本体部は、前記イメージセンサと対向する面に、原稿導入部が配置され、
前記原稿導入部は、前記現行の先端を前記読取部に導入しやすいようにカマボコ状に形成されるとともに、前記原稿が前記プラテンガラスに当接させる付勢手段が設けられていることを特徴とする原稿読取装置。
【請求項２】
前記原稿の先端を前記原稿導入部に突き当て、前記原稿の先端を前記読取部により読み取ることにより、前記原稿の幅を検知することを特徴とする請求項１記載の原稿読取装置。
【発明の詳細な説明】
【技術分野】
【０００１】
本発明は、原稿読取装置に関する。
【背景技術】
【０００２】
原稿に記載されたデータを読み取る原稿読取装置として特許文献１のようなものがある。この構成は、画像読取装置は、原稿押圧部のべ−ス部材上に載置する押圧ブロックを有し、その中央部分に貫通孔と、溝部を形成する。
【０００３】
この孔部はガイドとその頭頂部がその内側部分で接触しないような十分な大きさを有し、また、溝部はガイドの頭頂部と同等或いはそれよりも多少大きな幅で形成する。
【０００４】
例えば、原稿に対する画像読み取り部への押圧力が小さい方がよい場合、操作者は先ず押圧ブロックの孔部に原稿押圧部材に固定したガイドおよびその頭頂部を嵌挿して、べ−ス上に載置するものである。
【特許文献１】特開２００３−１２５１５９号公報
【発明の開示】
【発明が解決しようとする課題】
【０００５】
しかし、この構成は、原稿の厚み、原稿のコシ等の特性により、押圧ブロックまたは原稿押圧部材で押圧力を調整する必要があり、連続して異なる特性の原稿を読み込ませることはできないという課題を有するものであった。
【課題を解決するための手段】
【０００６】
上記課題を解決するために、本発明は、原稿に記載されたデータを読み取る読取部と、該原稿を該読取部に繰り出す搬送手段と、該原稿のデータを該読取部で読み取った後、外部に該原稿を排出する排出手段とを備え、搬送手段と排出手段とにより、本体部と該本体部の一端を支点として開閉可能に設けられた蓋部との間に原稿を通過させ、原稿のデータを読み取る原稿読取装置において、読取部は、蓋部に設けられるとともに、複数のイメージセンサ１１０を千鳥状に配置して、主走査方向に隣接するイメージセンサ１１０を互いに重複させて構成し、さらに、原稿と対向する面にはプラテンガラスが設けられ、本体部は、イメージセンサ１１０と対向する面に、原稿導入部が配置され、原稿導入部は、現行の先端を読取部に導入しやすいようにカマボコ状に形成されるとともに、原稿がプラテンガラスに密着させる付勢手段が設けられていることを特徴とする。
【０００７】
また、原稿の先端を原稿導入部に突き当て、原稿の先端を読取部により読み取ることにより、原稿の幅を検知することを特徴とする。
【発明の効果】
【０００８】
上記構成により、本発明によれば、簡単な構成で、厚さ、種類、腰の強さ等の原稿の特性に応じて、原稿を押圧する部材を調整することなく、原稿をプラテンガラスに密着させることができる。
【０００９】
また、原稿導入部７００をイメージセンサ１１０の対向する位置に配置することで、原稿の先端が原稿導入部に突き当たった時に、イメージセンサ１１０で原稿の幅を検知することにより、原稿の幅のみを検知するセンサをなくすことができ、装置自体のコストを下げることができる。
【発明を実施するための最良の形態】
【００１０】
以下、本発明の形態を、図を参照して説明する。図１に本発明の画像読取装置の概略図を示す。この装置は、例えばＡ０サイズまでの大判用紙サイズの原稿Ｐを読み取るＬＥＤプリンタ等の印字出力装置に接続可能なイメージスキャナであり、スキャナ部とプリンタ部が一体となった複写機においても利用される。
【００１１】
このイメージスキャナは、図１に本発明の画像読取装置の構成は、本体部６００と蓋部２０とからなり、搬送口１０から原稿Ｐを挿入して搬送手段２００に突き当てた後、搬送手段２００により原稿Ｐを読取部１００へ搬送し、原稿Ｐに記載されたデータを読取部１００で読み取った後、排出手段３００により外部に排出する構成となっている。なお、原稿Ｐに記載されたデータとは、イメージや文字、またはこれらが含まれたものをさす。
【００１２】
搬送手段２００は、一対のローラであり、搬送駆動ローラ２１０と搬送従動ローラ２２０とからなる。さらに、排出手段３００は、搬送手段２００と同様に、一対のローラであり、排出駆動ローラ３１０と排出従動ローラ３２０とからなる。
【００１３】
図２に示すように、本体部６００は、搬送駆動ローラ２１０と排出駆動ローラ３１０と原稿導入部７００とを備える。搬送駆動ローラ２１０は、第一駆動軸２３０に軸支されている。
【００１４】
さらに、搬送駆動ローラ２１０は第一駆動軸２３０に二つ以上配置されている。また、第一駆動軸２３０は図示しない駆動源に連結され、第一駆動軸２３０をこの駆動源の駆動力を伝達し、搬送従動ローラ２２０を回転させる。
【００１５】
排出駆動ローラ３１０は、第二駆動軸３３０に軸支されている。排出駆動ローラ３１０は、搬送駆動ローラ２１０と同様に、第二駆動軸３３０に二つ以上配置されている。また、第二駆動軸３３０は図示しない駆動源に連結され、第二駆動軸３３０をこの駆動源の駆動力を伝達し、排出駆動ローラ３１０を回転させる。
【００１６】
原稿導入部７００は、搬送手段２００から繰り出される原稿Ｐを読取部１００に密接させるものであり、読取部１００と対向する位置、つまり、本実施の形態では、千鳥状に配置されている。
【００１７】
また、再び、図１に戻るが、原稿導入部７００の両側（原稿の先端が接触する端縁）は、原稿の先端が接触する端が曲面となり、カマボコ状に形成されている。この構成により、原稿の先端が、原稿導入部の頂部に導入しやすくなる。
【００１８】
さらに、原稿導入部７００には、原稿導入部７００が蓋部２０側に付勢するようにバネや弾性体等からなる付勢手段４００が設けられている。この付勢力により、厚さ、種類、腰の強さ等の原稿の特性が変更されても、所定圧で、後に述べるプラテンガラス８００側に原稿Ｐが押圧され、正確に、読取部１００で、原稿Ｐに記載されたデータの読み取りができる。
【００１９】
次に、蓋部２０は、読取部１００と搬送従動ローラ２２０と排出従動ローラ３２０とを備える。読取部１００は、原稿Ｐに記載されたデータを読むものであり、ＣＣＤまたはＣＩＳが千鳥状に配置され、原稿Ｐを読み取る時には、原稿導入部７００と対向する位置となる。
【００２０】
読取部１００は、具体的には、ＣＣＤ（Ｃｈａｇｅ  Ｃｏｕｐｌｅｄ  Ｄｅｖｉｃｅ：ＣＣＤセンサ方式）、またはＣＩＳ（Ｃｏｎｔａｃｔ  Ｉｍａｇｅ  Ｓｅｎｓｏｒ：密着イメージセンサ方式）が適用される。
【００２１】
また、原稿導入部７００と対向する面にはプラテンガラス８００が設けられている。これにより、先に述べたが、原稿Ｐが読取部１００を通過するときに、付勢手段４００の付勢力の作用により、原稿導入部７００が、所定圧で、原稿導入部７００の端縁に突き当たった後、原稿Ｐがプラテンガラス８００に密着し、正確に、原稿Ｐに記載されたデータの読み取りができる。
【００２２】
さらに、プラテンガラス８００の原稿Ｐの挿入側には、原稿Ｐが読取部１００側に搬送やすいようにガイド部８１０が設けられている。このガイド部８１０は、搬送方向に徐々に幅が狭くなるように形成され、一定以上の厚みがある原稿Ｐの搬送を規制している。
【００２３】
搬送従動ローラ２２０と排出従動ローラ３２０は、読取部１００の両側に位置し、搬送駆動ローラ２１０と排出駆動ローラ３１０と協働して原稿Ｐの搬送を行うものである。搬送従動ローラ２２０は、第一従動軸２４０に軸支されている。
【００２４】
さらに、搬送従動ローラ２２０は、図２に示された搬送駆動ローラ２１０と同様に、第一従動軸２４０に二つ以上配置されている。各搬送従動ローラ２２０は、原稿Ｐを介して搬送駆動ローラ２１０、または、直接、搬送駆動ローラ２１０の回転に追従して回転する。
【００２５】
排出従動ローラ３２０は、図２に示された搬送従動ローラ２２０と同様に、第二従動軸３４０に二つ以上配置されている。各排出従動ローラ３２０は、搬送従動ローラ２２０と同様に、原稿Ｐを介して排出駆動ローラ３１０、または、直接、排出駆動ローラ３１０の回転に追従して回転する。
【００２６】
なお、原稿Ｐの厚さに対応した搬送駆動ローラ２１０と搬送従動ローラ２２０の隙間Ｓ、および排出駆動ローラ３１０と排出従動ローラ３２０の隙間Ｓの調整は、図示しないリンク機構により行われる。また、搬送従動ローラ２２０および排出従動ローラ３２０は、ばね、弾性体９００等により原稿Ｐ側に付勢力が作用されている。
【００２７】
以上、述べた、原稿導入部７００、搬送駆動ローラ２１０と排出駆動ローラ３１０の組、搬送従動ローラ２２０と排出従動ローラ３２０の組、第一駆動軸２３０と第一従動軸２４０と第二駆動軸３３０と第二従動軸３４０の組は、同じ構成であり、部品の共通化を図って、製造原価のコストを削減することができる。
【００２８】
次に、動作について述べる。以上の構成のもと、原稿Ｐの先端を挿入口（符号なし）に挿入すると、原稿Ｐの厚さ分だけ、搬送駆動ローラ２１０と搬送従動ローラ２２０の隙間Ｓが形成される。この時、付勢手段４００により、搬送従動ローラ２２０が原稿Ｐ（下方）側に付勢されるため、所定圧で原稿Ｐが搬送される。
【００２９】
これに伴い、リンク機構５００により、搬送駆動ローラ２１０と搬送従動ローラ２２０の隙間Ｓの分だけ、排出従動ローラ３２０が上方にシフトする。
【００３０】
さらに、搬送手段２００により原稿Ｐが繰り出されると、原稿Ｐの先端がガラスプラテンのガイド部に突き当たり、原稿Ｐの先端が矯正されて、プラテンガラス８００と原稿導入部７００との間に搬送される。
【００３１】
この時、原稿Ｐは、付勢手段４００により原稿導入部７００が上方に付勢され、所定圧でプラテンガラス８００に押圧された状態になる。この結果、原稿Ｐの読み取り不良となる皺やカールなどが確実に矯正され、読取部１００で原稿Ｐに記載されたデータを正確に読み取ることができる。
【００３２】
また、原稿Ｐが原稿導入部７００の端縁に突き当たった時、読取部１００で原稿Ｐの両端を検知して、原稿Ｐの幅を検知する。これにより、別の原稿Ｐの幅を検知するセンサを設ける必要がなく、装置の小型化や、装置の製造コストを抑えることができる。
【００３３】
さらに、繰り出された原稿Ｐは、排出手段３００を通過するときに、付勢手段４００により従動排出ローラが、原稿Ｐ（下方）側に付勢され、排出駆動ローラ３１０に対して、所定圧で押圧し、良好な搬送力で原稿Ｐを繰り出すことができる。排出手段３００を通過した原稿Ｐは装置外へと排出される。
【００３４】
このように、簡単な構成で、厚さ、種類、腰の強さ等の原稿の特性に応じて、原稿を押圧する部材を調整することなく、原稿をプラテンガラスに密着させることができる。
【００３５】
また、原稿導入部をイメージセンサの対向する位置に配置することで、原稿の先端が原稿導入部に突き当たった時に、イメージセンサで原稿の幅を検知することにより、原稿の幅のみを検知するセンサをなくすことができ、装置自体のコストを下げることができる。
【図面の簡単な説明】
【００３６】
【図１】本発明の画像読取装置の概略図。
【図２】本体部の上面図。
【符号の説明】
【００３７】
２０    蓋部
１００  読取部
２００  搬送手段
３００  排出手段
４００  付勢手段
７００  原稿導入部
８００  プラテンガラス
Ｐ      原稿
Ｓ      隙間
【図１】
2013098639.tif 000003
【図２】
2013098639.tif 000004